(57)【要約】      （修正有）【課題】多種の汚水の分類保存と分類排水を実現し、混合による化学反応を免れ、安全運輸を確保し、かつ構造が簡単で、低コストの工業汚水用環境保護装置を提供する。【解決手段】リザーブタンク本体１と荷重モジュールを含み、荷重モジュールはリザーブタンク本体を受け載せるように用い、リザーブタンク本体の内部に仕切り板２を設置し、仕切り板の外輪位置とリザーブタンク本体の内表の間に密封シール２２を設置し、リザーブタンク本体の内部は仕切り板により二つの互いに通じない容腔３に区切られ、リザーブタンク本体の頂上に別々にそれぞれの容腔に通じた汚水インレットパイプ４を設置し、リザーブタンク本体の底に別々にそれぞれの容腔に通じた汚水出水管５を相対的に設置し、汚水出水管にコントロールバルブ６を設置し、リザーブタンク本体の外殻に左右対称に第一固定リング７と第二固定リング７１を設置する。【選択図】図１
0003213322.tif 000002
【実用新案登録請求の範囲】
【請求項１】
工業汚水用環境保護装置において、
リザーブタンク本体と荷重モジュールを含み、前記荷重モジュールは前記リザーブタンク本体を受け載せるように用い、前記リザーブタンク本体の内部に仕切り板を設置し、前記仕切り板の外輪位置と前記リザーブタンク本体の内表の間に密封シールを設置し、前記リザーブタンク本体の内部は前記仕切り板を通じ、二つの互いに通じない容腔に区切られ、前記リザーブタンク本体の頂上に別々にそれぞれの前記容腔に通じた汚水インレットパイプを設置し、前記リザーブタンク本体の底に別々にそれぞれの前記容腔に通じた汚水出水管を設置し、前記汚水出水管にコントロールバルブを設置し、前記汚水インレットパイプと前記汚水出水管が相対的に設置され、前記リザーブタンク本体の外殻に左右対称に第一固定リングと第二固定リングを設置し、前記第一固定リングと第二固定リングの底に全て配合溝を設置し、前記第一固定リングと第二固定リングの頂上の近くに前後の形で二つの架空環を設置し、前記荷重モジュールは左右対称に設置され、そして二つの前記配合溝と配合した二つのアーチ形受け板を含み、それぞれの前記アーチ形受け板の底に支えスペーサーを設置し、二つの前記支えスペーサーの間には固定接続板を設置し、前記固定接続板に前記リザーブタンク本体に見合う枕ブロックを設置し、二つの前記支えスペーサーの中のそれぞれの前記支えスペーサーの片側に牽引かぎを設置し、二つの前記支えスペーサーの中のそれぞれの前記支えスペーサーの前後に移動フープを設置し、二つの前記移動フープは固定ピンと前記支えスペーサーによって接続し、それぞれの前記支えスペーサーには前記移動フープの移動を制限するストップミクロチタンボールを設置する
ことを特徴とする工業汚水用環境保護装置。
【考案の詳細な説明】
【技術分野】
【０００１】
本考案は環境保護分野に属して、特に一種の工業汚水用環境保護装置に関する。
【背景技術】
【０００２】
現在、汚水処理能力がない工場は、工業汚水を収集し保存する必要があり、そして汚水処理部門に輸送し、汚水輸送処理の過程で、よくリザーブタンクで汚水の収集貯蔵を完成し、しかし既存技術のリザーブタンクは単回だけ一種の汚水を蓄えられ、或いは多種の汚水を混じて貯蔵し、一種の汚水を貯蓄する時、リザーブタンクを使用する空間を浪費し、多種の汚水を混じ貯蓄すれば化学反応が生じることができ、安全問題が存在し、そして既存技術のリザーブタンクの移動が不便で、ゴンドラが届かない位置地域に、リザーブタンクの移動は大きい問題があり、使用することは非常に不便です。
【考案の概要】
【考案が解決しようとする課題】
【０００３】
本考案は一種の工業汚水用環境保護装置を提供します。
【課題を解決するための手段】
【０００４】
上述の問題を解決するために、本考案は次の技術方策を採用する。
【０００５】
本考案は一種の工業汚水用環境保護装置で、リザーブタンク本体と荷重モジュールを含み、前記荷重モジュールは前記リザーブタンク本体を受け載せるように用い、前記リザーブタンク本体の内部に仕切り板を設置し、前記仕切り板の外輪位置と前記リザーブタンク本体の内表の間に密封シールを設置し、前記リザーブタンク本体の内部は前記仕切り板を通じ、二つの互いに通じない容腔に区切られ、前記リザーブタンク本体の頂上に別々にそれぞれの前記容腔に通じた汚水インレットパイプを設置し、前記リザーブタンク本体の底に別々にそれぞれの前記容腔に通じた汚水出水管を設置し、前記汚水出水管にコントロールバルブを設置し、前記汚水インレットパイプと前記汚水出水管が相対的に設置され、前記リザーブタンク本体の外殻に左右対称に第一固定リングと第二固定リングを設置し、前記第一固定リングと第二固定リングの底に全て配合溝を設置し、前記第一固定リングと第二固定リングの頂上の近くに前後の形で二つの架空環を設置し、前記荷重モジュールは左右対称に設置され、そして二つの前記配合溝と配合した二つのアーチ形受け板を含み、それぞれの前記アーチ形受け板の底に支えスペーサーを設置し、二つの前記支えスペーサーの間には固定接続板を設置し、前記固定接続板に前記リザーブタンク本体に見合う枕ブロックを設置し、二つの前記支えスペーサーの中のそれぞれの前記支えスペーサーの片側に牽引かぎを設置し、二つの前記支えスペーサーの中のそれぞれの前記支えスペーサーの前後に移動フープを設置し、二つの前記移動フープは固定ピンと前記支えスペーサーによって接続し、それぞれの前記支えスペーサーには前記移動フープの移動を制限するストップミクロチタンボールを設置します。
【０００６】
最適に、前記仕切り板の表面積は前記容腔の断面積と同じで、前記仕切り板は一個以上があります。
【０００７】
最適に、前記第一固定リングと第二固定リングと前記リザーブタンク本体は溶接によって固定に接続し、前記配合溝の深さは前記アーチ形受け板の厚さと同じです。
【０００８】
最適に、前記固定接続板と前記支えスペーサーは溶接によって固定に接続し、前記枕ブロックと前記固定接続板は溶接によって固定に接続し、前記枕ブロックは二個以上があります。
【考案の効果】
【０００９】
本考案は、リザーブタンク本体と荷重モジュールの配合によって、リザーブタンク本体の固定と位置移動を実現し、配合溝とアーチ形受け板を配合接続を通じ、リザーブタンク本体と荷重モジュールは堅固に組合せ、そして分離も便利で、移動フープによって本装置に便利に移動させることができ、牽引かぎを使い他の機械設備は便利に本装置を引き、架空環を使い起重機はリザーブタンク本体を運送しやすく、固定接続板と枕ブロックを通じ荷重モジュールの荷重強度を増加し、リザーブタンク本体の内に使用需要によって多くの仕切り板を設置し、これによって多種の汚水の分類保存と分類排水を実現し、汚水の間の混合からの化学反応を免れ、安全運輸を確保し、この装置は構造が簡単で、コストが安く、普及使用に適合する効果を持っています。
【図面の簡単な説明】
【００１０】
【図１】本考案の工業汚水用環境保護装置の整体構造図。
【図２】本考案の荷重モジュールの構造図。
【考案を実施するための形態】
【００１１】
以下では、付図を結合し本考案の最適な実施例を詳しく述べ、本分野の技術者に更に容易に本考案の長所と特徴を理解させることができ、これによって本考案の保護範囲に対して、もっとはっきりとした明確な限定を作ることができます。
【００１２】
図１と図2に示したように、本考案は一種の工業汚水用環境保護装置で、リザーブタンク本体1と荷重モジュールを含み、前記荷重モジュールは前記リザーブタンク本体1を受け載せるように用い、前記リザーブタンク本体1の内部に仕切り板2を設置し、前記仕切り板2の外輪位置と前記リザーブタンク本体1の内表の間に密封シール22を設置し、前記リザーブタンク本体1の内部は前記仕切り板2を通じ、二つの互いに通じない容腔3に区切られ、前記リザーブタンク本体1の頂上に別々にそれぞれの前記容腔3に通じた汚水インレットパイプ4を設置し、前記リザーブタンク本体1の底に別々にそれぞれの前記容腔3に通じた汚水出水管5を設置し、前記汚水出水管5にコントロールバルブ6を設置し、前記汚水インレットパイプ4と前記汚水出水管5が相対的に設置され、前記リザーブタンク本体1の外殻に左右対称に第一固定リング7と第二固定リング71を設置し、前記第一固定リング7と第二固定リング71の底に全て配合溝10を設置し、前記第一固定リング7と第二固定リング71の頂上の近くに前後の形で二つの架空環８を設置し、前記荷重モジュールは左右対称に設置され、そして二つの前記配合溝10と配合した二つのアーチ形受け板11を含み、それぞれの前記アーチ形受け板11の底に支えスペーサー12を設置し、二つの前記支えスペーサー12の間には固定接続板9を設置し、前記固定接続板9に前記リザーブタンク本体1に見合う枕ブロック91を設置し、二つの前記支えスペーサー12の中のそれぞれの前記支えスペーサー12の片側に牽引かぎ92を設置し、二つの前記支えスペーサー12の中のそれぞれの前記支えスペーサー12の前後に移動フープ13を設置し、二つの前記移動フープ13は固定ピン14と前記支えスペーサー12によって接続し、それぞれの前記支えスペーサー12には前記移動フープ13の移動を制限するストップミクロチタンボール131を設置します。
【００１３】
本考案で１つの比較的に良い実施例で、前記仕切り板2の表面積は前記容腔3の断面積と同じで、前記仕切り板2は一個以上があり、本実施例で、前記仕切り板2は一つがあります。
【００１４】
本考案で１つの比較的に良い実施例で、前記第一固定リング7と第二固定リング71と前記リザーブタンク本体1は溶接によって固定に接続し、前記配合溝10の深さは前記アーチ形受け板11の厚さと同じです。
【００１５】
本考案で１つの比較的に良い実施例で、前記固定接続板9と前記支えスペーサー12は溶接によって固定に接続し、前記枕ブロック91と前記固定接続板9は溶接によって固定に接続し、前記枕ブロック91は二個以上があり、本実施例で、前記枕ブロック91は二個があります。
【００１６】
本考案は、リザーブタンク本体と荷重モジュールの配合によって、リザーブタンク本体の固定と位置移動を実現し、配合溝とアーチ形受け板を配合接続を通じ、リザーブタンク本体と荷重モジュールは堅固に組合せ、そして分離も便利で、移動フープによって本装置に便利に移動させることができ、牽引かぎを使い他の機械設備は便利に本装置を引き、架空環を使い起重機はリザーブタンク本体を運送しやすく、固定接続板と枕ブロックを通じ荷重モジュールの荷重強度を増加し、リザーブタンク本体の内に使用需要によって多くの仕切り板を設置し、これによって多種の汚水の分類保存と分類排水を実現し、汚水の間の混合からの化学反応を免れ、安全運輸を確保し、この装置は構造が簡単で、コストが安く、普及使用に適合する効果を持っています。
【００１７】
以上は、本考案の基本原理、主要特徴と長所を示し述べます。本業界の技術者は理解すべき、本考案は上記の実施例の制限を受けなく、上記の実施例と説明書で述べたのは、ただ本考案の原理を説明し、本考案の精神と範囲を離れない前提で、本考案はまた各種の変化と改善があり、これらの変化と改善は請求した保護される本考案の範囲に属します。本考案は請求した保護範囲が寄附する権利請求書とその等しい物から決められます。
【図１】
0003213322.tif 000003
【図２】
0003213322.tif 000004